(57)【要約】【課題】  少なくとも１セットの動翼と静翼を備えた遠心ファンを提供し、風圧を増加させるのと、気流を導く少なくとも１セットの静翼を含む遠心ファンのフレームアセンブリを提供する。【解決手段】  フレームアセンブリとファン翼構造を含む遠心ファンであって、ファン翼構造は、複数の静翼を含むフレームアセンブリ、および前記フレームアセンブリに設置され、且つ、複数の第１ファン翼と複数の第２ファン翼を含む。【選択図】      図２ａ
2005133705.tif 000002
【特許請求の範囲】
【請求項１】
複数の静翼を含むフレームアセンブリ、および
前記フレームアセンブリに設置され、且つ、複数の第１ファン翼と複数の第２ファン翼を含むファン翼構造を含む遠心ファン。
【請求項２】
前記フレームアセンブリは、吸気口と排気口を含み、前記第１ファン翼は、前記吸気口の近くに置かれる請求項１に記載の遠心ファン。
【請求項３】
前記フレームアセンブリは、その中に吸入口を備えた第１チャネルに形成され、前記第２ファン翼は、前記吸入口の近くに置かれる請求項２に記載の遠心ファン。
【請求項４】
前記ファン翼構造は、前記吸入口の近くに突縁を含み、且つ、前記第１チャネルへ向かって延伸する請求項３に記載の遠心ファン。
【請求項５】
前記フレームアセンブリは、壁面と形成され、吸入口に向かって延伸し、前記第１チャネルと第２チャネルを形成し、気流を前記動翼、前記第１ファン翼、前記第２ファン翼に通させる請求項３に記載の遠心ファン。
【請求項６】
前記第１チャネルの高さと前記第２チャネルの高さは、前記ファン翼構造の軸方向に部分的に、または完全に重なり合う請求項５に記載の遠心ファン。
【請求項７】
前記第１チャネル断面積は、実質上、前記排気口の断面積と等しい請求項３に記載の遠心ファン。
【請求項８】
各第１ファン翼は、前記吸気口の近辺に斜面を含む請求項２に記載の遠心ファン。
【請求項９】
前記ファン翼構造に設置される第１フレーム、および
前記第１フレームと接合され、前記第２フレームの上に形成される前記静翼を含むフレームアセンブリを含む請求項１に記載の遠心ファン。
【請求項１０】
前記第１フレームの上に設置され、前記ファン翼構造を駆動する回転装置を更に含む請求項９に記載の遠心ファン。
【請求項１１】
前記第１ファン翼を含む第１回転部、および
前記第１回転部と接合され、前記第２ファン翼を含む第２回転部を含む前記ファン翼構造の請求項１に記載の遠心ファン。
【請求項１２】
前記静翼は、前記第１ファン翼と前記第２ファン翼の間に置かれる請求項１に記載の遠心ファン。
【請求項１３】
第１フレーム、
複数の静翼を含む第２フレーム、
前記第１フレームの上に設置される回転装置、
前記回転装置と接合され、複数の第１ファン翼を含む第１回転部、および
前記第１回転部と接合され、複数の第２ファン翼を含み、前記第１ファン翼と第２ファン翼の間に置かれる前記静翼を含む第２回転部を含む遠心ファン。
【請求項１４】
複数の静翼と吸入口を備える第１チャネルを含むフレームアセンブリ、および
前記フレームアセンブリの中に設置され、突縁、複数の第１ファン翼と複数の第２ファン翼を含み、前記第１ファン翼と前記第２ファン翼の間に置かれ、前記突縁は、前記第１チャネルへ向かって延伸し、前記吸入口の近くに置かれる前記静翼を含むファン翼構造を含む遠心ファン。
【請求項１５】
少なくとも１セットの静翼を含むフレームアセンブリ、
フレームアセンブリの中に設置され、少なくとも１セットの動翼を含むファン翼構造を含む遠心ファン。
【請求項１６】
前記静翼と前記動翼は、交互に設置される請求項１５に記載の遠心ファン。
【請求項１７】
前記フレームアセンブリの中に第１チャネルを形成し、且つ、前記第１チャネルは、吸入口を有する請求項１５に記載の遠心ファン。
【請求項１８】
前記フレームアセンブリは、壁面と形成され、吸入口に向かって延伸し、前記第１チャネルと第２チャネルを形成し、気流を前記動翼、前記第１ファン翼、前記第２ファン翼に通させる請求項１７に記載の遠心ファン。
【発明の詳細な説明】
【技術分野】
【０００１】
本発明は、遠心ファンに関し、特に、静翼を備えるフレームアセンブリを含む遠心ファンに関するものである。
【背景技術】
【０００２】
図１は、従来の遠心ファン（送風機）１を示している。遠心ファンは、外枠、１０、モーター２０、ファン翼構造３０を含んでいる。外枠１０は、吸気口１１と排気口（未表示）を含む。モーター２０は、外枠１０のベース１０１の上に設置され、ファン翼構造３０を駆動する。ファン翼構造３０は、ハブ３１、ベースプレート３２、およびベースプレート３２の上に形成された複数のファン翼３３を含む。ファン翼構造３０は、外枠１０のチャネルに直接接触するため、ファン翼３３の間に大きいギャップが形成され、気流のコントロールを難しくさせる。よって、回流が容易に生じ、放熱効率に影響する。
【０００３】
上述の欠点を克服するために、新しい電子装置は、遠心ファンの外枠のチャネルを増大するデザインをし、気流と放熱を増進する。しかし、そういったデザインは、小型装置に適合しない。更に、不均一な気流、騒音および気流の減少がそういったデザインによって容易に生じる。
【０００４】
気流を増進させるもう１つのデザインは、ファン翼の数とサイズを増加させることである。しかし、このデザインは、容易に、気流に渦を生じさせ、よって、遠心ファンの放熱を低下する。
【発明の開示】
【発明が解決しようとする課題】
【０００５】
これに鑑みて、本発明は、少なくとも１セットの動翼と静翼を備えた遠心ファンを提供し、風圧を増加させる。
【０００６】
本発明のもう１つの目的は、気流を導く少なくとも１セットの静翼を含む遠心ファンのフレームアセンブリを提供する。
【課題を解決するための手段】
【０００７】
したがって、本発明は、フレームアセンブリとファン翼構造を含む遠心ファンを提供する。ファン翼構造は、複数の静翼を含むフレームアセンブリ、および前記フレームアセンブリに設置され、且つ、複数の第１ファン翼と複数の第２ファン翼を含む。
【０００８】
好ましい実施例は、前記フレームアセンブリは、吸気口と排気口、そこに吸入口を備えた第１チャネルを含む。
【０００９】
前記第１ファン翼は、前記吸気口の近くに置かれ、前記第２ファン翼は、前記吸入口の近くに置かれる。
【００１０】
前記ファン翼構造は、前記吸入口の近くに突縁を含み、且つ、前記第１チャネルへ向かって延伸する。
【００１１】
前記フレームアセンブリは、壁面と形成され、吸入口に向かって延伸し、前記第１チャネルと第２チャネルを形成し、気流を前記動翼、前記第１ファン翼、前記第２ファン翼に通させる。
【００１２】
前記第１チャネルの高さと前記第２チャネルの高さは、前記ファン翼構造の軸方向に部分的に、または完全に重なり合う。
【００１３】
前記第１チャネル断面積は、実質上、前記排気口の断面積と等しい。
【００１４】
各第１ファン翼は、前記吸気口の近辺に斜面を含む。
【００１５】
もう１つの好ましい実施例では、前記フレームアセンブリは、第１フレームと第２フレームを含む。前記ファン翼構造に設置される第１フレーム、および前記第１フレームと接合され、前記第２フレームの上に形成される前記静翼を含む。遠心ファンは、前記第１フレームの上に設置され、前記ファン翼構造を駆動する回転装置を更に含む。
【００１６】
更にもう１つの好ましい実施例は、前記ファン翼構造は、第１回転部と第２回転部を含む。第１回転部は、前記第１ファン翼を含む。第２回転部は、前記第１回転部と接合され、前記第２ファン翼と突縁を含む。
【００１７】
更にもう１つの好ましい実施例は、前記静翼は、前記第１ファン翼と前記第２ファン翼の間に置かれる。
【００１８】
本発明は、第１フレーム、第２フレーム、回転装置、第１回転部、第２回転部を含む遠心ファンを提供する。第２フレームは、複数の静翼を含み、回転装置は、前記第１フレームの上に設置される。第１回転部は、前記回転装置と接合され、複数の第１ファン翼を含む。第２回転部は、前記第１回転部と接合され、複数の第２ファン翼を含む。静翼は、前記第１ファン翼と第２ファン翼の間に置かれる。
【００１９】
本発明は、フレームアセンブリとファン翼構造を含む遠心ファンを提供する。フレームアセンブリは、複数の静翼と吸入口を備える第１チャネルを含む。ファン翼構造は、フレームアセンブリの中に設置され、突縁、複数の第１ファン翼と複数の第２ファン翼を含む。静翼は、前記第１ファン翼と前記第２ファン翼の間に置かれ、前記突縁は、前記第１チャネルへ向かって延伸し、前記吸入口の近くに置かれる。
【００２０】
更に、本発明は、フレームアセンブリとファン翼構造を含む遠心ファンを提供する。フレームアセンブリは、複数の静翼と第１チャネルを含む。ファン翼構造は、フレームアセンブリの中に設置され、複数の第１ファン翼と複数の第２ファン翼を含む。静翼は、前記第１ファン翼と前記第２ファン翼の間に置かれ、前記第１チャネルの高さと前記第２チャネルの高さは、前記ファン翼構造の軸方向に部分的に、または完全に重なり合う。
【００２１】
更に、本発明は、フレームアセンブリとファン翼構造を含む遠心ファンを提供する。フレームアセンブリは、少なくとも１セットの静翼を含む。ファン翼構造は、フレームアセンブリの中に設置され、少なくとも１セットの動翼を含む。静翼と動翼は交互に設置される。
【発明の効果】
【００２２】
本発明の遠心ファンが少なくとも１つ以上の静翼と動翼を含むことから、気流は、フレームアセンブリの静翼によってスムーズに導かれ、渦が発生するのを避けることができる。よって、風圧が増加し、放熱が増進する。
【発明を実施するための最良の形態】
【００２３】
本発明についての目的、特徴、長所が一層明確に理解されるよう、以下に実施形態を例示し、図面を参照にしながら、詳細に説明する。
【実施例１】
【００２４】
図２ａ乃至図３ｂは、本発明で開示した遠心ファン２を示している。遠心ファン２は、フレームアセンブリ１００、ファン翼構造２００、回転装置３００を含んでいる。図３ａに示されたように、回転装置３００は、主軸、回転子、固定子、軸受、およびプリント基板を含む。回転装置３００が従来の回転装置と同じことから、詳細の説明は省略する。
【００２５】
フレームアセンブリ１００は、第１フレーム１１０、第２フレーム１２０、および複数の静翼１３０を含む。第１フレーム１１０は、遠心ファン２のベース部材である。回転装置３００は、第１フレーム１１０のシャフト１１１の上に設置され、ファン翼構造２００と接合される。第２フレーム１２０は、第１フレーム１１０と接合される。静翼１３０は、第２フレーム１２０の上に形成され、気流を遠心ファン２に導くことで風圧を増加させる。
【００２６】
図２ｂに示されたように、フレームアセンブリ１００は、吸気口１５０と排気口１６０を含む。図３ａに示されたように、フレームアセンブリ１００は、第１フレーム１１０と第２フレーム１２０の間に気流チャネルを含む。気流チャネル１４０は、空気を保存するタンクとして用いられ、以下、第１チャネルとする。図３ｂを参照すると、第１チャネル１４０の広さは、均一でない。具体的に言えば、第１チャネル１４０は、排気口１６０に近くなるほど広くなる。排気口１６０の広さは、第１チャネルに基づいている。図３ｂの想像線Ｆに見られるように、排気口１６０の広さは、第１チャネル１４０の内周の既定位置で切線を描くことによって形成される。その結果、第１チャネル１４０内の風圧は、より均一となり、よって、遠心ファン２の放熱効率が増進する。
【００２７】
第１チャネル１４０の断面積が実質的に排気口１６０の断面積と等しいことは理解される。よって、気流による効率は、断面積の均一性によって既定値で保つことができる。
【００２８】
ファン翼構造２００は、フレームアセンブリ１００の中に設置され、第１回転部２１０、第２回転部２２０、複数の第１ファン翼２３０、および複数の第２ファン翼２４０を含む。第１ファン翼２３０は、第１回転部２１０に設置される。第２回転部２２０は、第１回転部２１０と接合され、その上に、第２ファン翼２４０と突縁２２１を含む。突縁２２１は、第１チャンネル１４０に向かって上に延伸し、第１チャンネル１４０の吸入口１４１の近くに置かれる。よって、突縁２２１が第１チャンネル１４０に向けて気流を上へ導くことで、気流が排気口１６０から送り出される。
【００２９】
図の中では、第２回転部２２０は、かみ合わせによって第１回転部２１０と接合されているが、しかし、それらは例えば、溶接など他の方法で接合することも可能である。更に、図３ａでは、第２回転部２２０と第１回転部２１０、および第２フレーム１２０と第１フレームの間の接合線は省略されている。
【００３０】
第１ファン翼２３０は、吸気口１５０の近くに置かれている。各第１ファン翼２３０は、吸気口１５０の近辺に斜面２３０ａを含み、よって、吸気口１５０の面積を増加する。図３ａに示されたように、第２ファン翼２４０は、吸入口１４１の近くに置かれ、静翼１３０は、第１ファン翼２３０と第２ファン翼２４０の間に置かれる。
【００３１】
図２ａと図３ａを参照すると、フレームアセンブリ１００の第２フレーム１２０は、壁面１２１と形成され、吸入口１４１へ向かって延伸され、フレームアセンブリ１００で２つの気流チャネルに分けられる。つまり、フレームアセンブリ１００は、第１チャネル１４０と第２チャネル（未表示）で形成され、気流を静翼１３０、第１ファン翼２３０と第２ファン翼２４０へ通させる。
【００３２】
第２回転部２２０が上へ延伸した突縁を含むことから、気流は第１チャンネル１４０の中へスムーズに導かれることができる。よって、第１チャンネル１４０の高さと、第２チャネルの高さは、ファン翼構造２００の軸方向に部分的に、または完全に重ね合うことができる。その結果、全遠心ファン２がコンパクトになる。
【００３３】
図４は、従来の遠心ファンと本発明の遠心ファンの風圧風量グラフである。図４では、Ｘ軸は、風量を示し、Ｙ軸は、風圧を示し、実線は、本発明の遠心ファンを示し、点線は、従来の遠心ファンを示している。図４に見られるように、同じ風量の状態で、本発明の遠心ファンは、比較的大きい風圧を作り出すことができる。
【００３４】
上述のように、本発明の遠心ファンは更に、従来のファン翼の上に１セットの静翼と１セットの動翼を含み、よって、風圧を増加させる。
【００３５】
実施例では、遠心ファンは、１セットの静翼と１セットの動翼を増加しただけだが、必要に応じて１セット以上の静翼と動翼を増加することができる。例えば、２つの吸入口を有する遠心ファンには、２セットの静翼が提供され、つまり、１セットの静翼が１つの吸入口の近くに形成され、もう１セットの静翼がもう１つの吸入口の近くに形成される。更に、遠心ファンのファン翼構造では、３セットの静翼が提供され、つまり、複数の３つのファン翼を増加することができる。更に、静翼と動翼は、交互に設置される。
【００３６】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００３７】
【図１】従来の遠心ファンの概略図である。
【図２ａ】本発明で示された遠心ファンの立体分解図である。
【図２ｂ】図２ａの遠心ファンを組立てた概略図である。
【図３ａ】図２ｂのライン３ａ−３ａに沿った断面図である。
【図３ｂ】図２ｂのライン３ｂ−３ｂに沿った断面図である。
【図４】従来の遠心ファンと本発明の遠心ファンの風圧風量グラフである。
【符号の説明】
【００３８】
２      静翼を含む遠心ファン
１００  フレームアセンブリ
１１０  第１フレーム
１１１  シャフト
１２０  第２フレーム
１２１  壁面
１３０  静翼
１４０  気流チャネル
１４１  吸入口
１５０  吸気口
１６０  排気口
２００  ファン翼構造
２２１  突縁
２３０  第１ファン翼
２３１  斜面
２４０  第２ファン翼
３００  回転装置
【図１】
2005133705.tif 000003
【図２ａ】
2005133705.tif 000004
【図２ｂ】
2005133705.tif 000005
【図３ａ】
2005133705.tif 000006
【図３ｂ】
2005133705.tif 000007
【図４】
2005133705.tif 000008